(57)【要約】【課題】引出しを備えた棚に関するもので、収納物が増えたときに、棚の容積を大きくして周囲が乱雑になるのを防止することができる、構造が簡単でかつ外観にも優れた引出し棚を提供する。【解決手段】棚幅を広げたり狭めたりすることが可能な引出し棚を提供する。２段以上の引出しを備え、最上段の引出し１の上に上板３があり、最下段の引出し２の下に下板４がある。上板３と下板４との間の少なくとも一組の上下に隣接する引出し１、２の間に、上下に添設された上中板５と下中板６とからなる中板７がある。上板３と上中板５とが一方の側板９に固定され、下板４と下中板６は、前記他方の側板１０に固定されている。上中板５と下中板６との間には、棚の幅方向のガイドが設けられており、上中板５と下中板６とは、このガイドに沿って幅方向に摺動可能である。【選択図】      図２
0003122716.tif 000002
【実用新案登録請求の範囲】
【請求項１】
左右の側板(9,10)と、上板(3)と、下板(4)と、この上板と下板との間に位置する中板(7)とを備え、前記上板と中板との間及び下板と中板との間にそれぞれ一段ないし複数段の引出し(1,2)を備えた引出し棚において、
前記中板が添設された上中板(5)と下中板(6)とで形成され、上板(3)と上中板(5)とが前記左右の側板の一方に固定され、下板(4)と下中板(6)とが他方に固定され、上下の中板(5,6)の間に前記引出しの引出し方向と直交する方向のガイド(16,17)を備え、前記上中板と下中板とがこのガイド方向に摺動可能であることを特徴とする、引出し棚。
【請求項２】
左右の側板(9,10)と、上板(3)と、下板(4)と、この上板と下板との間に位置する中板(7)とを備え、前記上板と中板との間及び下板と中板との間にそれぞれ一段ないし複数段の引出し(1,2)を備えた引出し棚において、
前記中板が添設された上中板(5)と下中板(6)とで形成され、前記下板の下面に添設された底板(11)を備え、上板(3)と上中板(5)と底板(11)とが前記左右の側板の一方に固定され、下板(4)と下中板(6)とが他方に固定され、前記上中板と下中板との間又は下板と底板との間に、前記引出しの引出し方向と直交する方向のガイド(16,17)を備え、前記上中板と下中板とがこのガイド方向に摺動可能であることを特徴とする、引出し棚。
【請求項３】
前記ガイドがガイド溝(16)とこれに摺動自在に嵌合するピン(17)とで形成されている、請求項１又は２記載の引出し棚。
【請求項４】
前記ガイド溝が平行な２本のガイド溝(16)とこれらのそれぞれに摺動自在に嵌合する各１本のピン(17)で形成され、この２本のピンが前記２本のガイド溝の端部に当接して上中板(5)と下中板(6)の方向を規定する、請求項３記載の引出し棚。
【考案の詳細な説明】
【技術分野】
【０００１】
この考案は、引出しを備えた棚に関するもので、幅寸法（引出しの引き出し方向と直交する方向の寸法）を変更できるようにした引出し棚の構造に関するものである。
【背景技術】
【０００２】
一般的に棚は、収納しようとする物の量に比べて棚の容積が大き過ぎると、棚が占める設置スペースに無駄が生じ、また収納する物の量に比べて棚の容積が小さいと物が棚からはみ出して周囲が乱雑になる。例えば、学習机の上などに設置される比較的小型の引出し棚を考えた場合、日常的に使用する筆記具や鋏などの文具を当該引出し棚の引出しに収納することになるが、頻繁に使用するものは、いちいち引出しに出し入れするのが面倒なので、すぐに手に取れる机の上や引出し棚の上に置いて使用するようになる。また、人形やプラモデルなどの飾り物が引出し棚の上に置かれることも多く、学年が進んで文具の量が増えてくると、引出しに収納しきれなくなったり、棚の上のスペースがなくなって、机の上が乱雑になる。
【０００３】
棚は、収納物の多少に応じて容積と設置スペースとを変更可能であることが望ましいが、そのような構造を採用すると、構造が複雑になって価格が高くなり、棚自体の重量も重くなるという問題が生ずる。特に床面に設置するような大型の棚では、たとえ容積を変更できるような構造を採用したとしても、重量が大きいために、棚に物を収納したまま棚の容積を変更することは、通常困難である。一方、机の上に設置される本立てでは、左右の側板から内側に伸びる底板を幅方向に摺動可能に組合せることによって、収納する本の量に応じて左右の側板の間隔を変更可能にしたものが古くから実用されている。
【考案の開示】
【考案が解決しようとする課題】
【０００４】
この考案は、卓上に設置されるような、比較的小型の引出し棚において、収納物が増えたときに、棚の容積を大きくして周囲が乱雑になるのを防止することができる、構造が簡単でかつ外観にも優れた引出し棚を提供することを課題としている。
【課題を解決するための手段】
【０００５】
この考案は、必要に応じて幅を広げたり狭めたりすることが可能な引出し棚を提供することにより、上記課題を解決したものである。
【０００６】
この考案の引出し棚は、２段以上の引出しを備えており、最上段の引出し１の上に上板３があり、最下段の引出し２の下に下板４がある。上板３と下板４との間の少なくとも一組の上下に隣接する引出し１、２の間には、上下に添設された上中板５と下中板６とからなる中板７がある。この中板７を設けた箇所以外における上下に隣接する引出し２ａ、２ｂの間の仕切り板８は、あってもなくてもよい。引出し２ａ、２ｂのガイド構造（引出し方向のガイド構造）によっては、仕切り板８を設けない構造が可能である。また、中板７の直上の引出し１のガイド構造によっては、上中板５を幅方向に細長い帯板状のものとすることができ、また上中板５を棚の前面から見えない位置に配置することも可能である。
【０００７】
この考案の引出し棚は、従来の一般的な引出し棚と同様に、左右に側板９、１０を備えている。従来の引出し棚においては、上板３と下板４は、その両側縁が左右の側板９、１０に固定されているが、この考案の引出し棚では、上板３と上中板５とが一方の側板９に固定され、他方の側板１０には固定されていない。また、下板４と下中板６は、前記他方の側板１０に固定され、前記一方の側板９には固定されていない。場合のよっては、下板４の下に底板１１を前記一方の側板９に固定して設けることができる。底板１１を設けたときは、下板４は、最下段の引出し２のガイド構造によっては、幅方向に細長い帯板状のものとすることができ、棚の正面から見えない位置に配置することもできる。
【０００８】
上中板５と下中板６との間には、棚の幅方向、すなわち引出し１、２の引出し方向と直交する方向のガイドが設けられており、上中板５と下中板６とは、このガイドに沿って幅方向に摺動可能である。すなわち、上中板５を固定している前記一方の側板９と下中板６を固定している前記他方の側板１０との間隔をガイドに沿う上中板５と下中板６の摺動により、広くしたり狭くしたりすることができる。そして、左右の側板９、１０の間隔を広げたとき、下中板６より上方の引出し１と前記他方の側板１０との間、および上中板５の下方の引出し２と前記一方の側板９との間に、物を収納するための空間１３、１４が形成される。
【０００９】
棚の背面の背板１５は、あってもなくてもよいが、両側板９、１０を広げたときに形成される収納空間１３、１４から棚の背後に収納物が落下したり散逸したりするのを防止するために、あった方が好ましい。この場合、背板１５の少なくとも下中板６より上方の部分は、前記他方の側板１０に固定して設けるのが好ましい。
【００１０】
棚の幅方向のガイド溝１６と、これに嵌合するピン１７とで形成されるガイドを設けたときは、両側の側板９、１０の間隔を狭めたときの幅の２倍近い間隔まで広げることができる。また、平行な２本のガイド溝１６を設けて、そのそれぞれに各１本のピン１７を摺動自在に嵌合させた構造のガイドとしたときは、両側板９、１０を一杯に広げたときに、２本のピン１７がそれぞれのガイド溝の端部に当接して、広げられた棚の左部分と右部分との方向を同一方向になるように規定することができる。
【考案の効果】
【００１１】
この考案の引出し棚は、左右の側板の間隔を広げることによって、棚内に物を収容するための追加的な空間を作り出すことができる。追加的に形成される収容空間の面積は、棚を広げたことによる棚の設置スペースの増加分の整数倍、すなわち中板を１枚（上中板と下中板の組を一組）設けたときは２倍、２枚設けたときは３倍となり、設置スペースをより有効に利用できる。
【００１２】
この考案の引出し棚により、収容物が少ないときは、棚幅を狭くした状態で使用し、収容物が増えて棚に入らなくなったときや、引出しに収容しないで、単に棚の上に置いておきたい物が増えたときに、棚の幅を広げることによって、それらの物を収容するための空間を追加的に形成することができるので、収容物が増えて机の上が乱雑になる事態を回避することができる。
【００１３】
そして、この考案の引出し棚は、構造が簡単で安価に提供することができると共に、美観にも優れ、幅を広げたときに形成される空間を収納量を変更できる本立てとして使用することもでき、収容しようとする物の種類や量に対応した使い方ができるという効果がある。
【考案を実施するための最良の形態】
【００１４】
以下、図面を参照して、この考案の引出し棚の具体例を説明する。図１はこの考案の引出し棚の第１実施形態を示した図で、９及び１０は左右の側板、３は上板、４は下板、５は上中板、６は下中板、１５は背板、１ａ、１ｂ及び２は引出しである。以下の説明において、左及び右の語は、図１、２における左右、すなわち引出し棚を前方から見たときの左及び右を意味する。
【００１５】
図１、２より理解されるように、上板３及び上中板５は、その左側縁が左側板９に固定されており、その間の引出し１ａ、１ｂは、上板３又は上中板５に設けたガイドによって前方に引き出せるように支持されている。この引出しのガイドは、例えば引出し１（１ａ、１ｂ）の左右の側板の上縁内側を案内する前後方向の桟を上板３の下面に設けるか、又はこれらの引出しの左右の側板の下縁内側を案内する前後方向の桟を上中板５の上面に設けることによって実現できる。
【００１６】
一方、下中板６及び下板４は、その右側縁を右側板１０に固定されており、その間の引出し２は、引出し１ａ、１ｂと同様な構造で、下中板６と下板４の間に手前に引き出し可能に設けられている。デザイン上の観点から、格子状にした背板１５は、右側板１０の後縁と下中板６の後縁とに固定されている。
【００１７】
上中板５の下面には、図３、４に示すように、左右方向のガイド溝１６が設けられており、一方、下中板６の上面の左端の部分にガイド溝１６に嵌合するピン１７が植立されている。上中板５は、ピン１７がガイド溝１６に嵌合した状態で下中板６の上面に載置された状態となっている。
【００１８】
図の例では、左右の側板９、１０の間隔を狭めた図１の状態で、両側板９、１０の上縁部と背板１５の上縁部とで、上板３の側縁及び後縁に回り口が形成されるようになっているが、これは主としてデザイン上の配慮である。
【００１９】
上記構造の説明から理解されるように、上中板５と下中板６とは、ガイド溝１６の方向に相対移動させることができ、その相対移動に伴って両側板９、１０の間隔、従って棚の全体の幅が広げられたり狭められたりする。そして、幅を広げたときに、物を収容するための追加的な収納空間１３、１４が作り出される。この収納空間１３、１４の面積は、両側板９、１０の間隔を調整することによって調節できる。
【００２０】
棚の幅を中程度に広げたとき、すなわちピン１７がガイド溝１６の中間位置にあるときは、背板１５と上板３又は中板７（上中板５と下中板６）の後縁とのガイド作用により、左右の棚の方向が同方向となるように規定できる。一方、広げたときの棚の幅をできるだけ大きくしようとすると、図２に示す棚を広げた状態で背板１５と上板３又は上中板５の後縁との重なり幅Ｗが狭くなって、左右の棚の方向を規定する作用が低下する。
【００２１】
図５、６に示すように、上中板５と下中板６との間に２本のガイド溝１６とこれに摺動自在に嵌合する２本のピン１７を設け、２本のピン１７が共にガイド溝１６の右側端部に達したときに、当該ピンとガイド溝の端部との当接によって、左右の棚の方向が同方向に規定されるようにすることができる。また、図４のピンに代えて左右方向に適当な長さを有するキーや左右方向に離れた２本のピンを設けることによって、左右の棚の方向が同方向に規定されるようにすることもできる。
【００２２】
図７、８は、この考案の第２実施形態を示したものである。この第２実施形態は、中板７の下に２段の引出し２ａ、２ｂが設けられていること、下板４の下に底板１１が設けられている点が第１実施形態のものと異なっている。下板４の下に底板１１を設けたことに対応させて、右側板１０の下縁は、下板４より底板１１の厚さ分だけ下方に突出している。
【００２３】
この底板１１を設けた構造では、図１で説明したガイド溝１６とピン１７のガイド構造を下板４と底板１１との間に設けることができる。
【図面の簡単な説明】
【００２４】
【図１】棚幅を最小にしたときの第１実施例を前方から見た斜視図
【図２】棚幅を最大にしたときの第１実施例の前方から見た斜視図
【図３】第１実施例の上中板の下面図
【図４】第１実施例の下中板に植立したピンを示す上面図
【図５】上中板の他の例を示す下面図
【図６】下中板に植立したピンの他の例を示す上面図
【図７】棚幅を最小にした第２実施例を前方から見た斜視図
【図８】棚幅を最大にした第２実施例の前方から見た斜視図
【符号の説明】
【００２５】
1,2  引出し
３  上板
４  下板
５  上中板
６  下中板
9,10  側板
11  底板
16  ガイド溝
17  ピン
【図１】
0003122716.tif 000003
【図２】
0003122716.tif 000004
【図３】
0003122716.tif 000005
【図４】
0003122716.tif 000006
【図５】
0003122716.tif 000007
【図６】
0003122716.tif 000008
【図７】
0003122716.tif 000009
【図８】
0003122716.tif 000010